(57)【特許請求の範囲】
【請求項１】
ＦＭ放送電波に同調して目的とする周波数のＦＭ放送波信号を取り出すＦＭチューナと、このＦＭチューナにて目的とする周波数のＦＭ放送波信号を受信すべく選局制御用電圧を生成すると共に、周波数変換のための局部発振信号を生成するＰＬＬ回路と、このＰＬＬ回路を制御して第１の周波数ステップごとに受信周波数を変更して、前記ＦＭチューナでシーク選局動作させる制御手段を有する多重放送用受信装置であって、
前記ＦＭチューナのＦＭ検波出力信号からＦＭ放送波信号の電界強度を検出する電界強度検出回路と、
前記ＦＭチューナから抽出される中間周波数信号の中間周波数カウント値を計測する中間周波数計測回路とを備え、
前記制御手段は、
該制御手段により前記ＰＬＬ回路がＦＭ放送帯域の受信周波数を第１の周波数ステップごとにシーク選局動作させるとき、前記電界強度検出回路にて、該第１の周波数ステップごとに変更される受信周波数の電界強度を検出し、この電界強度が予め設定した値以上であるか否かを判定する電界強度判定手段と、
この電界強度判定手段にて設定値以上であると判定したとき、前記中間周波数計測回路を動作させて現在受信周波数の中間周波数カウント値を計測し、該中間周波数カウント値が指定された第１の公差内にあるか否かを判定する第１の中間周波数判定手段と、
この第１の中間周波数判定手段にて中間周波数計測回路で計測された中間周波数カウント値が第１の公差内であると判定したとき、この中間周波数カウント値が指定された第２の公差内にあるか否かを判定する第２の中間周波数判定手段と、
この第２の中間周波数判定手段にて中間周波数カウント値が第２の公差内でないと判定したとき、周波数ステップを第１の周波数ステップから第２の周波数ステップに変更し、かつ該第２の周波数ステップで前記ＰＬＬ回路により前記ＦＭチューナによるシーク選局動作を実行させて受信周波数を変更する周波数ステップ変更手段とを備えて、
前記周波数ステップ変更手段が第１の周波数ステップから第２の周波数ステップに変更して受信周波数を変更したとき、該受信周波数の±２ステップを受信できるように変更し、各受信周波数の中間周波数カウント値に対して前記第２の中間周波数判定手段により第２の公差内にあるか否かを判定し、この中間周波数カウント値が第２の公差内にあると判定されたとき、ＦＭチューナによるシーク選局動作を停止させることを特徴とする多重放送用受信装置。
【請求項２】
前記第２の周波数ステップは、前記第１の周波数ステップより小さい値に設定されていることを特徴とする請求項１記載の多重放送用受信装置。
【発明の詳細な説明】
【０００１】
【発明の属する技術分野】
本発明は、番組放送及び該番組放送に多重されたデータを含む多重放送電波から番組放送を受信するともに、当該番組放送に多重されたデータを取得する多重放送用受信装置に関し、特に放送帯域を所定の周波数ステップごとにスキャンしてシーク選局する時に受信電界強度の判定結果と中間周波数のカウント公差に基づき周波数ステップを変更できるようにした多重放送用受信装置に関するものである。
【０００２】
【従来の技術】
多重放送には、ＦＭラジオ放送の放送電波に当該番組放送に関連する情報や交通情報などの情報を多重し、受信側が当該多重された情報を解読することにより、当該ラジオ放送の受聴者に対して様々なサービスを提供することができるＲＤＳ（ラジオ・データ・システム）方式がある。
【０００３】
このようなＲＤＳ方式は、主に多くの放送局がネットワークを組んで同一番組を放送することが多い欧州等で広く普及しているものであって、ＦＭ変調波の周波数帯域外で１９ＫＨｚのステレオパイロット信号の３倍の周波数である５７ＫＨｚを副搬送波とし、フィルタリング及びバイフェーズコード化された番組関連情報や交通情報等の情報を示すデータ信号により、前記副搬送波を振幅変調してラジオデータ信号（以下、単にＲＤＳデータと称する）とし、この振幅変調された副搬送波を周波数変調して放送するようになっている。
【０００４】
ＲＤＳデータは、放送局や番組などに関するデジタルデータの集まりであり、このＲＤＳデータには、国名データや番組データからなるネットワークを示す番組識別データ（ＰＩコード）、交通情報放送局の識別データを示す交通番組識別データ（ＴＰデータ）や交通情報中の識別データを示す交通アナウンス識別データ（ＴＡデータ）、同一番組を放送しているネットワーク局群の各局の周波数に関わるデータ、すなわち代替周波数データ（ＡＦデータ）、放送局名やネットワーク名等の放送局名データ（ＰＳデータ）などが含まれている。
【０００５】
このようなＲＤＳデータを使用する多重放送用受信装置は、ＲＤＳデータの受信時に復調して得られるＡＦデータを取り込んでメモリに記憶しておき、例えばマルチパス妨害等の外乱により現在受信中の放送局における受信レベルが低下した場合、メモリに記憶したＡＦデータに基づいて受信レベルの良好な他のネットワーク局である代替局を選択する自動追従システムを備えている。この自動追従システムを用いることにより、外乱の影響を受けることなく、常に受信状態の良好な同一番組の放送をユーザーに提供することができる。
【０００６】
ところで、上述のようなＲＤＳサービスを行う東欧のＦＭ放送帯域には、ＦＭ１（ローバンド）＝６５ＭＨｚ〜７４ＭＨｚと、ＦＭ２（ノーマルバンド）＝８７．５ＭＨｚ〜１０８ＭＨｚがある。このうち、ＦＭ１のローバンドに使用される多重放送用受信装置の受信周波数は、殆どの場合、６５ＭＨｚ〜７４ＭＨｚの周波数帯を３０ｋＨｚの周波数ステップで、かつＰＬＬの分周比Ｎに対応して変化する構成されている。しかし、東欧でもラトビアやブルガリアなどの一部の放送局の周波数は、上述する３０ｋＨｚの周波数ステップから外れている。
【０００７】
また、このような国の６５ＭＨｚ〜７４ＭＨｚのＦＭ放送帯域は、元々３０ｋＨｚの整数倍になっていないので、ＰＬＬの基準周波数を３０ｋＨｚにすることができず、１０ｋＨｚにしなければならない。
【０００８】
一方、全ての受信周波数が６５ＭＨｚから３０ｋＨｚの周波数ステップになっていれば、６５ＭＨｚから７４ＭＨｚまでの周波数ステップは３００ステップとなる。すなわち、６５ＭＨｚの受信周波数に対応するＰＬＬの分周比Ｎ＝７５７０とし、７４ＭＨｚの受信周波数に対応するＰＬＬの分周比Ｎ＝７８７０であるとすると、６５ＭＨｚから７４ＭＨｚまでの周波数ステップは３００ステップとなる。
【０００９】
しかし、ラトビアやブルガリアなどの国における一部の放送局の周波数は、３０ｋＨｚの周波数ステップから外れるため、この放送局に対応させるためには１０ｋＨｚの周波数ステップにする必要がある。このようにると、ＰＬＬの分周比Ｎは９００ステップとなってしまう。
【００１０】
【発明が解決しようとする課題】
このように６５ＭＨｚ〜７４ＭＨｚの周波数帯を１０ｋＨｚの周波数ステップでスキャンして受信周波数を変化させた場合、ＰＬＬの分周比Ｎは９００ステップとなってしまうため、受信周波数のシーク選局スピードに問題が生じる。すなわち、ＰＬＬが高速ロックアップ機能を有するＲＤＳ受信機のように、１周波数ステップに対する確認時間を短くできても、全体の受信周波数のシーク選局時間が長くなる。例えば、１周波数ステップのシーク選局に要する時間が１０ｍｓであったとしても、分周比Ｎ＝９００に対応するシーク選局時間は９秒となり長くなる。
【００１１】
また、ＲＤＳ受信機の場合、ＰＬＬの基準周波数は５０ｋＨｚであるため、１周波数ステップ１０ｍｓでシーク選局が可能であるが、ＰＬＬの基準周波数が１０ｋＨｚになると、１周波数ステップ当たり２０〜３０ｍｓのシーク選局時間が必要になり、その結果、分周比Ｎ＝９００に対応する全受信周波数のシーク選局に要する時間は１９〜２７秒となり、受信周波数のシーク選局に多くの時間がかかるという問題がある。
【００１２】
本発明は、上記のような課題を解決するものであり、受信周波数のシーク選局スピードを向上できるとともに、周波数ステップから外れた放送局に対してもシーク選局を可能にした多重放送用受信装置を提供することを目的とする。
【００１３】
【課題を解決するための手段】
上記目的を達成するために請求項１記載の発明は、ＦＭ放送電波に同調して目的とする周波数のＦＭ放送波信号を取り出すＦＭチューナと、このＦＭチューナにて目的とする周波数のＦＭ放送波信号を受信すべく選局制御用電圧を生成すると共に、周波数変換のための局部発振信号を生成するＰＬＬ回路と、このＰＬＬ回路を制御して第１の周波数ステップごとに受信周波数を変更して、前記ＦＭチューナでシーク選局動作させる制御手段を有する多重放送用受信装置であって、前記ＦＭチューナのＦＭ検波出力信号からＦＭ放送波信号の電界強度を検出する電界強度検出回路と、前記ＦＭチューナから抽出される中間周波数信号の中間周波数カウント値を計測する中間周波数計測回路とを備え、前記制御手段は、該制御手段により前記ＰＬＬ回路がＦＭ放送帯域の受信周波数を第１の周波数ステップごとにシーク選局動作させるとき、前記電界強度検出回路にて、該第１の周波数ステップごとに変更される受信周波数の電界強度を検出し、この電界強度が予め設定した値以上であるか否かを判定する電界強度判定手段と、この電界強度判定手段にて設定値以上であると判定したとき、前記中間周波数計測回路を動作させて現在受信周波数の中間周波数カウント値を計測し、該中間周波数カウント値が指定された第１の公差内にあるか否かを判定する第１の中間周波数判定手段と、この第１の中間周波数判定手段にて中間周波数計測回路で計測された中間周波数カウント値が第１の公差内であると判定したとき、この中間周波数カウント値が指定された第２の公差内にあるか否かを判定する第２の中間周波数判定手段と、この第２の中間周波数判定手段にて中間周波数カウント値が第２の公差内でないと判定したとき、周波数ステップを第１の周波数ステップから第２の周波数ステップに変更し、かつ該第２の周波数ステップで前記ＰＬＬ回路により前記ＦＭチューナによるシーク選局動作を実行させて受信周波数を変更する周波数ステップ変更手段とを備えて、前記周波数ステップ変更手段が第１の周波数ステップから第２の周波数ステップに変更して受信周波数を変更したとき、該受信周波数の±２ステップを受信できるように変更し、各受信周波数の中間周波数カウント値に対して前記第２の中間周波数判定手段により第２の公差内にあるか否かを判定し、この中間周波数カウント値が第２の公差内にあると判定されたとき、ＦＭチューナによるシーク選局動作を停止させることを特徴とする。
【００１４】
請求項１記載の発明によれば、電界強度判定手段にて現在受信周波数の電界強度が設定値以上であると判定したとき、前記中間周波数計測回路を動作させて現在受信周波数の中間周波数カウント値を計測し、該中間周波数カウント値が指定された第１の公差内にあるか否かを判定する第１の中間周波数判定手段と、この第１の中間周波数判定手段にて中間周波数計測回路で計測された中間周波数カウント値が第１の公差内であると判定したとき、この中間周波数カウント値が指定された第２の公差内にあるか否かを判定する第２の中間周波数判定手段と、この第２の中間周波数判定手段にて中間周波数カウント値が第２の公差内でないと判定したとき、周波数ステップを第１の周波数ステップから第２の周波数ステップに変更し、かつ該第２の周波数ステップで前記ＰＬＬ回路により前記ＦＭチューナによるシーク選局動作を実行させて受信周波数を変更する周波数ステップ変更手段とを備えるようにしたので、受信周波数のシーク選局スピードを向上できるとともに、周波数ステップから外れた放送局に対してもシーク選局を行うことができ、更に、周波数ステップ変更手段が第１の周波数ステップから第２の周波数ステップに変更して受信周波数を変更したとき、該受信周波数の±２ステップを受信できるように変更し、各受信周波数の中間周波数カウント値に対して前記第２の中間周波数判定手段により第２の公差内にあるか否かを判定し、この中間周波数カウント値が第２の公差内にあると判定されたとき、ＦＭチューナによるシーク選局動作を停止させるようにしたので、第１の周波数ステップから外れた放送局の受信周波数を確実にシーク選局することができる。
【００１５】
請求項２記載の発明は、上記請求項１記載の構成に加えて、前記第２の周波数ステップは、前記第１の周波数ステップより小さい値に設定されていることを特徴とする。
【００１６】
請求項２記載の発明によれば、上記請求項１記載の効果に加えて、前記第２の周波数ステップが、前記第１の周波数ステップより小さい値に設定されているようにしたので、第１の周波数ステップから外れた放送局の受信周波数を確実にシーク選局することができる。
【００１９】
【発明の実施の形態】
以下、図面に基づいて本発明の多重放送用受信装置について説明する。図１は本発明の一実施の形態における多重放送用受信装置の概略構成を示すブロック図である。
【００２０】
図１において、多重放送用受信装置は、複数の放送局から放送される番組放送及び該番組放送に多重されたＲＤＳデータを含むＦＭ多重放送電波を受けるアンテナ１１、ＦＭチューナ１２、マルチプレクサ１３、トーンコントロール／ボリューム部１４、音声増幅部１５、スピーカ１６、ＰＬＬ回路１７及び受信装置全体を制御するマイクロコンピュータ（以下、マイコンと略称する）１８を備えている。
【００２１】
ＦＭチューナ１２は、アンテナ１１に到来する所望のＦＭ放送電波に同調して目的とする周波数ｆ１２１の受信信号Ｓ１２１を取り出す同調回路１２１と、この同調回路１２１から取り出された受信信号Ｓ１２１を増幅する高周波増幅回路１２２と、この増幅された受信信号Ｓ１２１とＰＬＬ回路１７から送出される局部発振信号Ｓ１７１とをミキシングすることにより中間周波数ｆ１２３の中間周波信号Ｓ１２３に周波数変換するミキサ回路１２３と、この中間周波信号Ｓ１２３を増幅するＩＦ増幅器１２４と、この増幅された中間周波信号Ｓ１２３をＦＭ検波するＦＭ検波回路１２５を備える。
【００２２】
マルチプレクサ１３は、ＦＭ検波回路１２５からの検波出力信号をオーディオ信号に復調し、ステレオ放送の場合はＬ（左）、Ｒ（右）チャネルのオーディオ信号に分離する。
【００２３】
トーンコントロール／ボリューム部１４は、マルチプレクサ１３からのオーディオ信号の音質及び音量を調整するものであり、このトーンコントロール／ボリューム部１４で音質及び音量の調整されたオーディオ信号は音声増幅部１５により増幅されてスピーカ１６に出力される。
【００２４】
ＰＬＬ回路１７は、ＦＭチューナ１２にて受信すべき所望の放送電波に同調させて目的とする周波数のＦＭ放送波信号を得るための選局制御用電圧を生成するとともに周波数変換のための局部発振信号を生成するもので、電圧制御発振回路（ＶＣＯ）１７１、可変分周回路１７２、位相比較回路１７３、基準発振回路１７４及びローパスフィルタ（ＬＰＦ）１７５を備えている。
【００２５】
ＶＣＯ１７１は、目的とする受信周波数ｆ１２１と中間周波数ｆ１２３（例えば、１０，７ＭＨｚ）との和に相当する周波数ｆ１７１の局部発振信号Ｓ１７１をＦＭチューナ１２のミキサ回路１２３に供給するとともに可変分周回路１７２に供給する。
【００２６】
可変分周回路１７２は、ＦＭチューナ１２のシーク選局時に、その受信周波数を、６５ＭＨｚ〜７４ＭＨｚのＦＭ放送帯域において第１の周波数ステップである３０ｋＨｚの周波数ステップで、かつ分周比Ｎに対応して変化させるため、及び３０ｋＨｚの周波数ステップから外れた受信周波数に対してもシーク選局できるように、第２の周波数ステップである１０ｋＨｚの周波数ステップで受信周波数を変更するために局部発振信号Ｓ１７１を３０ｋＨｚの周波数ステップまたは１０ｋＨｚの周波数ステップに対応する１／Ｎまたは１／３Ｎの周波数に分周するものであり、その分周信号は位相比較回路１７３に供給される。また、可変分周回路１７２に対する分周比Ｎの設定及び１／Ｎまたは１／３Ｎへの切り替えはマイコン１８からの制御信号により行われる。
【００２７】
位相比較回路１７３は、可変分周回路１７２からの分周信号と基準発振回路１７４からの発振信号（例えば、周波数３０ｋＨｚ）との位相を比較し、差がある時、その位相の方向と大きさに比例した電圧を出力する。位相比較回路１７３から出力される電圧はローパスフィルタ１７５により平滑化され、この電圧をＶＣＯ１７１に制御電圧として加えることにより、ＶＣＯ１７１から出力される局部発振信号Ｓ１７１の周波数ｆ１７１を目的とする受信周波数に対応して変化させるようになっている。また、ローパスフィルタ１７５で平滑化された電圧は、ＦＭチューナ１２の同調回路１２３に選局電圧として供給される。
【００２８】
したがって、ＰＬＬ回路１７がフェーズロックされる定常状態では、可変分周回路１７２からの分周信号と基準発振回路１７４からの発振信号との周波数は等しいので、局部発振信号Ｓ１７１の周波数ｆ１７１は、
ｆ１７１＝Ｎ×０．０３［ＭＨｚ］・・・・・・・・・・・・（１）
ｆ１７１＝Ｎ×０．０１［ＭＨｚ］・・・・・・・・・・・・（２）
となる。そして、受信周波数ｆ１２１は、
ｆ１２１＝Ｎ×０．０３−１０．７［ＭＨｚ］・・・・・・・（３）
ｆ１２１＝Ｎ×０．０１−１０．７［ＭＨｚ］・・・・・・・（４）
となる。
【００２９】
したがって、分周比Ｎを７５７０〜７８７０の間で「１」ずつ変化させれば、３０ｋＨｚの周波数ステップの場合の局部発振周波数ｆ１７１は、上記（１）式から算出される２２７．１ＭＨｚ〜２３６．１ＭＨｚの間を３０ｋＨｚの間隔で変化するので、その受信周波数ｆ１２１は、６５ＭＨｚ〜７４ＭＨｚのＦＭ放送帯域を３０ｋＨｚの周波数ステップで、かつ分周比Ｎに対応して変化することになる。また、１０ｋＨｚの周波数ステップの場合の局部発振周波数ｆ１７１は、上記（２）式から算出される７５．７ＭＨｚ〜７８．７ＭＨｚの間を１０ｋＨｚの間隔で変化するので、その受信周波数ｆ１２１は、６５ＭＨｚ〜７４ＭＨｚのＦＭ放送帯域を１０ｋＨｚの周波数ステップで、かつ分周比Ｎに対応して変化することになる。
【００３０】
上記ＦＭチューナ１２には、ＦＭ検波回路１２５で検波された出力信号からＲＤＳデータを抽出するＲＤＳデコーダ１９が接続されており、このＲＤＳデコーダ１９から抽出されたＲＤＳデータはマイコン１８に入力される。また、ＦＭチューナ１２には、ＦＭ検波回路１２５で検波された出力信号から受信信号の電界強度（ＳＤ信号）を検出する電界強度検出回路２０が接続されており、この電界強度検出回路２０で検出されたＳＤ信号はマイコン１８に入力される構成になっている。さらに、ＦＭチューナ１２には、ＩＦ増幅器１２４から出力される中間周波信号Ｓ１２３の中間周波数ｆ１２３をマイコン１８からの制御指令に従い計測する中間周波数計測回路２６が接続され、この中間周波数計測回路２６で計測された中間周波数ｆ１２３の計測値はマイコン１８に入力される構成になっている。
【００３１】
また、マイコン１８には、ＲＤＳデコーダ１９で抽出されたＲＤＳデータであるＡＦデータやＰＩコード及び電界強度検出回路２０で検出されたＳＤデータ等を記憶する外部メモリ（記憶手段）２１、及び様々な操作指令を入力する操作部２２が接続されている。この操作部２２は、様々な操作指令を入力するキーマトリックス２３と、様々な情報を液晶表示部（ＬＣＤ）２４に表示させるＬＣＤドライブ２５を有している。
【００３２】
上記マイコン１８は、ＦＭチューナ１２及びＰＬＬ回路１７が６５ＭＨｚ〜７４ＭＨｚのＦＭ放送帯域の受信周波数を第１の周波数ステップである３０ｋＨｚの周波数ステップごとにシーク選局動作する時、その第１の周波数ステップごとに変更される受信周波数の電界強度（ＳＤ）が予め設定した値以上かであるか否かを判定する電界強度判定手段１８１と、この電界強度判定手段１８１が設定値以上であると判定した時に中間周波数計測回路２６を動作させてＩＦ増幅器１２４から出力される中間周波数ｆ１２３を計測し、このＩＦカウント値が指定された第１の公差（例えば、ＩＦカウント値±２０ｋＨｚ）内にあるか否かを判定する第１の中間周波数判定手段１８２と、第１の中間周波数判定手段１８２にてＩＦカウント値が第１の公差内であると判定した時、このＩＦカウント値が指定された第２の公差（例えば、ＩＦカウント値±３ｋＨｚ）内にあるか否かを判定する第２の中間周波数判定手段１８３と、第２の中間周波数判定手段１８３がＩＦカウント値が第２の公差内でないと判定した時、周波数ステップを第１の周波数ステップ（例えば、３０ｋＨｚ）から第２の周波数ステップ（例えば、１０ｋＨｚ）に変更し、かつ該第２の周波数ステップで前記ＰＬＬ回路１７によりＦＭチューナ１２をシーク動作させて受信周波数を変更する周波数ステップ変更手段１８４とを備えている。
【００３３】
次に、図２に示すフローチャート及び図３を参照してマイコン１８が行う処理動作について説明する。
【００３４】
図３は、６５ＭＨｚ〜７４ＭＨｚのＦＭ放送帯域において第１の周波数ステップである３０ｋＨｚの周波数ステップで受信周波数をシーク選局する時に、３０ｋＨｚの周波数ステップから外れた受信周波数が６６．２２ＭＨｚに相当する放送局がある場合を示す説明図である。
【００３５】
以下、図３に示すように、受信周波数が６６．２２ＭＨｚに相当する放送局がある時、この６６．２２ＭＨｚの受信周波数にシーク選局動作させる場合について述べる。図２に示す処理プログラムがスタートすると、まず、マイコン１８はＦＭチューナ１２及びＰＬＬ回路１７を６５ＭＨｚ〜７４ＭＨｚのＦＭ放送帯域に対して第１の周波数ステップである３０ｋＨｚの周波数ステップごとに受信周波数が変更されるようにシーク選局動作させる（ステップＳ１）。
【００３６】
これに伴い、ＶＣＯ１７１から送出される周波数ｆ１７１の局部発振信号Ｓ１７１をＦＭチューナ１２のミキサ回路１２３及び可変分周回路１７２に供給される。可変分周回路１７２に供給された局部発振信号Ｓ１７１は３０ｋＨｚの周波数ステップに対応する１／Ｎの周波数に分周され、その分周信号は位相比較回路１７３に供給される。位相比較回路１７３では、可変分周回路１７２からの分周信号と基準発振回路１７４からの発振信号（例えば、周波数３０ｋＨｚ）との位相を比較し、差がある時、その位相の方向と大きさに比例した電圧を出力する。この電圧はローパスフィルタ１７５により平滑化された後、ＶＣＯ１７１に制御電圧として加えることにより、ＶＣＯ１７１から出力される局部発振信号Ｓ１７１の周波数ｆ１７１を目的とする受信周波数に対応して変化させる。さらに、ローパスフィルタ１７５で平滑化された電圧をＦＭチューナ１２の同調回路１２３に選局電圧として供給することにより、同調回路１２３を３０ｋＨｚごとに変更される受信周波数ｆｎ（受信周波数ｆ１２１）に同調させ、当該受信周波数ｆｎを受信する（ステップＳ２）。
【００３７】
一方、第１の周波数ステップごとに変更される受信周波数ｆｎの電界強度（ＳＤ）は電界強度検出回路２０で検出され、マイコン１８に入力されるとともに、電界強度判定手段１８１により電界強度（ＳＤ）が設定値以上かを判定する（ステップＳ３）。ここで、通常電界強度（ＳＤ）を検出し得る帯域は±４０ｋＨｚ以上あるので、図３に示すように、６５ＭＨｚからアップシークを開始すると、６６．２０ＭＨｚで電界強度検出回路２０により検出された電界強度（ＳＤ）は設定値以上となる。なお、電界強度（ＳＤ）が設定値以下の場合はステップＳ１に戻る。
【００３８】
ステップＳ３で電界強度（ＳＤ）が設定値以上と判定された場合は、中間周波数計測回路２６を動作させてＩＦ増幅器１２４から出力される中間周波数ｆ１２３を計測し（ステップＳ４）、そのＩＦカウント値をマイコン１８に入力する。そして、ＩＦカウント値が指定された第１の公差（例えば、ＩＦカウント値±２０ｋＨｚ）内にあるか否かを判定する第１の中間周波数判定手段１８２により判定する（ステップＳ５）。ここで、ＩＦカウント値が第１の公差内にない場合はステップＳ１に戻り、ＩＦカウント値が第１の公差内にあると判定された場合は中間周波数計測回路２６を再度動作させてＩＦ増幅器１２４から出力される中間周波数ｆ１２３を計測し（ステップＳ６）、このＩＦカウント値が指定された第２の公差（例えば、ＩＦカウント値±３ｋＨｚ）内にあるか否かを第２の中間周波数判定手段１８３で判定する（ステップＳ７）。ここで、ＩＦカウント値が第２の公差内にあると判定された場合、６６．２０ＭＨｚに通常の放送局があれば、当該放送局の受信周波数にシークストップし（ステップＳ１８）、当該受信周波数を受信させる（ステップＳ１９）。
【００３９】
また、ＩＦカウント値が第２の公差内にないと判定された場合は、６６．２０ＭＨｚの近くに放送局があると判断し、周波数ステップ変更手段１８４を動作させて周波数ステップを第１の周波数ステップ（例えば、３０ｋＨｚ）から第２の周波数ステップ（例えば、１０ｋＨｚ）に変更し（ステップＳ８）、６６．２２ＭＨｚに対し、±２ステップ（６６．１８ＭＨｚ，６６．１９ＭＨｚ，６６．２１ＭＨｚ，６６．２２ＭＨｚ）の周波数を受信し、これら受信周波数に対する第２の公差（±３ｋＨｚ）第２の中間周波数判定手段１８３により判定し、６６．２２ＭＨｚのシーク処理を実行する。
【００４０】
まず、第２の周波数ステップである１０ｋＨｚの周波数ステップに変更することにより、受信周波数ｆｎ（例えば、６６．２０ＭＨｚ）を受信周波数ｆｎ＋１０ｋＨｚに変更して当該周波数の受信信号が受信できるようにＰＬＬ回路１７及びＦＭチューナ１２を制御する（ステップＳ９）。そして、受信周波数ｆｎ＋１０ｋＨｚに対し、中間周波数計測回路２６を再度動作させてＩＦ増幅器１２４から出力される中間周波数を計測し、このＩＦカウント値が指定された第２の公差（±３ｋＨｚ）内にあるか否かを第２の中間周波数判定手段１８３で判定する（ステップＳ１０）。ここで、ＩＦカウント値が第２の公差内にあると判定された場合、ｆｎ＋１０ｋＨｚに通常の放送局があれば、当該放送局の受信周波数にシークストップし（ステップＳ１８）、当該受信周波数を受信させる（ステップＳ１９）。
【００４１】
また、ステップＳ１０でのＩＦカウント値が第２の公差内にないと判定された場合は、受信周波数ｆｎを受信周波数ｆｎ−１０ｋＨｚに変更して当該周波数の受信信号が受信できるようにＰＬＬ回路１７及びＦＭチューナ１２を制御する（ステップＳ１１）。そして、受信周波数ｆｎ−１０ｋＨｚに対し、中間周波数計測回路２６を再度動作させてＩＦ増幅器１２４から出力される中間周波数を計測し、このＩＦカウント値が指定された第２の公差（±３ｋＨｚ）内にあるか否かを第２の中間周波数判定手段１８３で判定する（ステップＳ１２）。ここで、ＩＦカウント値が第２の公差内にあると判定された場合、ｆｎ−１０ｋＨｚに通常の放送局があれば、当該放送局の受信周波数にシークストップし（ステップＳ１８）、当該受信周波数を受信させる（ステップＳ１９）。
【００４２】
次に、ステップＳ１２でのＩＦカウント値が第２の公差内にないと判定された場合は、受信周波数ｆｎを受信周波数ｆｎ＋２０ｋＨｚに変更して当該周波数の受信信号が受信できるようにＰＬＬ回路１７及びＦＭチューナ１２を制御する（ステップＳ１３）。そして、受信周波数ｆｎ＋２０ｋＨｚに対し、中間周波数計測回路２６を再度動作させてＩＦ増幅器１２４から出力される中間周波数を計測し、このＩＦカウント値が指定された第２の公差（±３ｋＨｚ）内にあるか否かを第２の中間周波数判定手段１８３で判定する（ステップＳ１４）。ここで、ＩＦカウント値が第２の公差内にあると判定された場合、ｆｎ＋２０ｋＨｚに通常の放送局があれば、当該放送局の受信周波数にシークストップし（ステップＳ１８）、当該受信周波数を受信させる（ステップＳ１９）。
【００４３】
次に、ステップＳ１４でのＩＦカウント値が第２の公差内にないと判定された場合は、受信周波数ｆｎを受信周波数ｆｎ−２０ｋＨｚに変更して当該周波数の受信信号が受信できるようにＰＬＬ回路１７及びＦＭチューナ１２を制御する（ステップＳ１５）。そして、受信周波数ｆｎ−２０ｋＨｚに対し、中間周波数計測回路２６を再度動作させてＩＦ増幅器１２４から出力される中間周波数を計測し、このＩＦカウント値が指定された第２の公差（±３ｋＨｚ）内にあるか否かを第２の中間周波数判定手段１８３で判定する（ステップＳ１６）。ここで、ＩＦカウント値が第２の公差内にあると判定された場合、ｆｎ−２０ｋＨｚに通常の放送局があれば、当該放送局の受信周波数にシークストップし（ステップＳ１８）、当該受信周波数を受信させる（ステップＳ１９）。
【００４４】
また、ステップＳ１６でのＩＦカウント値が第２の公差内にないと判定された場合は６６．２０ＭＨｚに再び戻り（ステップＳ１７）、第１の周波数ステップである３０ｋＨｚの周波数ステップでシーク選局動作を開始する。そして、次の６６．２３ＭＨｚでも電界強度（ＳＤ）が設定値以上となるため、ステップＳ３以下の処理を実行することにより、６６．２２ＭＨｚ以外の第１の周波数ステップから外れた放送局の受信周波数に対しても上記と同様にシーク選局動作させることができる。
【００４５】
従って、上記のような本実施の形態によれば、第１の周波数ステップによるシーク選局動作時に、第１の周波数ステップごとに変更される受信周波数の電界強度（ＳＤ）が予め設定した値以上であるか否かを電界強度判定手段１８１で判定し、この電界強度判定手段１８１が設定値以上であると判定した時に中間周波数計測回路２６を動作させてＩＦ増幅器１２４から出力される中間周波数ｆ１２３を計測し、このＩＦカウント値が指定された第１の公差内にあるか否かを第１の中間周波数判定手段１８２により判定し、さらに、第１の中間周波数判定手段１８２がＩＦカウント値が第１の公差内であると判定した時、このＩＦカウント値が指定された第２の公差内にあるか否かを第２の中間周波数判定手段１８３で判定し、第２の中間周波数判定手段１８３がＩＦカウント値が第２の公差内でないと判定した時、周波数ステップを周波数ステップ変更手段１８４により第１の周波数ステップから第２の周波数ステップに変更して受信周波数を変更する構成にしたので、受信周波数のシーク選局スピードを向上できるとともに、周波数ステップから外れた放送局に対してもシーク選局を行うことができ、６５ＭＨｚ〜７４ＭＨｚなどのＦＭ放送帯域の全受信周波数に対してシーク選局を終了させるフェーズロックドループを構成することができる。
【００４６】
なお、本発明は、上記実施の形態に示す６５ＭＨｚ〜７４ＭＨｚなどのＦＭ放送帯域のシーク選局に限らず、その他のＦＭ放送帯域、例えば８７．５ＭＨｚ〜１０８ＭＨｚのようなＦＭ放送帯域のシーク選局にも同様に適用することができる。
【００４７】
【発明の効果】
上記のように構成された本発明における請求項１記載の発明によれば、電界強度判定手段にて現在受信周波数の電界強度が設定値以上であると判定したとき、前記中間周波数計測回路を動作させて現在受信周波数の中間周波数カウント値を計測し、該中間周波数カウント値が指定された第１の公差内にあるか否かを判定する第１の中間周波数判定手段と、この第１の中間周波数判定手段にて中間周波数計測回路で計測された中間周波数カウント値が第１の公差内であると判定したとき、この中間周波数カウント値が指定された第２の公差内にあるか否かを判定する第２の中間周波数判定手段と、この第２の中間周波数判定手段にて中間周波数カウント値が第２の公差内でないと判定したとき、周波数ステップを第１の周波数ステップから第２の周波数ステップに変更し、かつ該第２の周波数ステップで前記ＰＬＬ回路により前記ＦＭチューナによるシーク選局動作を実行させて受信周波数を変更する周波数ステップ変更手段とを備えるようにしたので、受信周波数のシーク選局スピードを向上できるとともに、周波数ステップから外れた放送局に対してもシーク選局を行うことができ、更に、周波数ステップ変更手段が第１の周波数ステップから第２の周波数ステップに変更して受信周波数を変更したとき、該受信周波数の±２ステップを受信できるように変更し、各受信周波数の中間周波数カウント値に対して前記第２の中間周波数判定手段により第２の公差内にあるか否かを判定し、この中間周波数カウント値が第２の公差内にあると判定されたとき、ＦＭチューナによるシーク選局動作を停止させるようにしたので、第１の周波数ステップから外れた放送局の受信周波数を確実にシーク選局することができる。
【００４８】
また、本発明における請求項２記載の発明によれば、上記請求項１記載の効果に加えて、前記第２の周波数ステップが、前記第１の周波数ステップより小さい値に設定されているようにしたので、第１の周波数ステップから外れた放送局の受信周波数を確実にシーク選局することができる。
【図面の簡単な説明】
【図１】本発明の一実施の形態における多重放送用受信装置の概略構成を示すブロック図である。
【図２】本発明の実施の形態における多重放送用受信装置のシーク選局動作の手順を示すフローチャートである。
【図３】６５ＭＨｚ〜７４ＭＨｚのＦＭ放送帯域において第１の周波数ステップである３０ｋＨｚの周波数ステップで受信周波数をシーク選局する時に、３０ｋＨｚの周波数ステップから外れた受信周波数が６６．２２ＭＨｚに相当する放送局がある場合を示す説明図である。
【符号の説明】
１１  アンテナ
１２  ＦＭチューナ
１３  マルチプレクサ
１４  トーンコントロール／ボリューム部
１５  音声増幅部
１６  スピーカ
１７  ＰＬＬ回路
１８  マイコン（制御手段）
２０  電界強度検出回路
２６  中間周波数計測回路
１８１  電界強度判定手段
１８２  第１の中間周波数判定手段
１８３  第２の中間周波数判定手段
１８４  周波数ステップ変更手段
【図１】
0004049444.tif 000002
【図２】
0004049444.tif 000003
【図３】
0004049444.tif 000004